(57)【特許請求の範囲】
【請求項１】
磁気カードに記録された磁気データを読み取る読取部と、
前記読取部により磁気データが読み取られた場合に信号を出力する出力部と、を備えたデータ読取装置において、
前記読取部により読み取られた磁気データを非可逆変換する変換部をさらに備え、
前記変換部は、前記読取部により読み取られた磁気データから所定のデータを抽出することにより非可逆変換を行い、
前記出力部は、前記読取部により磁気データが読み取られた場合に、前記変換部により非可逆変換されたデータを出力する、ことを特徴とするデータ読取装置。
【請求項２】
請求項１に記載のデータ読取装置を備えることを特徴とするカード処理装置。
【請求項３】
磁気カードに記録された磁気データを読み取る読取部と、
前記読取部により磁気データが読み取られた場合に信号を出力する出力部と、を備えたデータ読取装置において、
磁気データが非可逆変換されたデータを記憶する記憶部と、
前記読取部により読み取られた磁気データを、当該磁気データから所定のデータを抽出することにより非可逆変換する変換部と、
前記変換部により非可逆変換されたデータと、前記記憶部に記憶されたデータとを比較する比較部と、をさらに備え、
前記出力部は、前記比較部による比較結果を出力する、ことを特徴とするデータ読取装置。
【請求項４】
請求項１に記載のデータ読取装置と、
磁気データが非可逆変換されたデータを記憶する記憶部と、
前記出力部から出力されたデータと、前記記憶部に記憶されたデータとを比較する比較部と、を備えることを特徴とするカード処理装置。
【発明の詳細な説明】
【技術分野】
【０００１】
本発明は、磁気カードに記録された磁気データを読み取るデータ読取装置およびそれを備えたカード処理装置に関する。
【背景技術】
【０００２】
従来、磁気カードが挿入される挿入口と、挿入口に磁気カードが挿入されたことを検出するカード挿入検出部と、カード挿入検出部の検出結果に基づいて挿入口を開閉するためのシャッタ部材と、挿入口から挿入された磁気カードに対して処理を施す読取／書込ヘッドとを備えたカード処理装置が知られている（たとえば、特許文献１〜３参照）。
【０００３】
これらのカード処理装置は、磁気情報の不正取得装置が挿入口の前方に取り付けられた場合に、その不正取得装置により磁気情報が不正に取得されるのを防止するように構成されている。なお、不正取得装置には、磁気データを読み取る磁気ヘッドが設けられている。
【０００４】
具体的には、上記特許文献１のカード処理装置では、挿入口の近傍に異物検出用のフォトセンサが設けられている。そして、このカード処理装置は、フォトセンサにより不正取得装置が検出された場合に、磁気カードの取り込みを中止するとともに、警報を発することにより、磁気情報が不正に取得されるのを防止する。
【０００５】
上記特許文献２のカード処理装置では、挿入口の前方に妨害磁界を発生させる磁界発生器が設けられている。そして、このカード処理装置は、磁界発生器により不正取得装置の磁気データの読み取りを困難にすることによって、磁気情報が不正に取得されるのを防止する。
【０００６】
上記特許文献３のカード処理装置は、磁気カードの磁気データを読み取るには磁気カードの磁気ストライプに対して磁気ヘッドを連続的に移動させる必要があることから、磁気カードを間欠的に搬送することにより不正取得装置の磁気データの読み取りを困難にすることによって、磁気情報が不正に取得されるのを防止する。
【先行技術文献】
【特許文献】
【０００７】
【特許文献１】特開２００１−６７５２５号公報
【特許文献２】特開２００１−６７５２４号公報
【特許文献３】特開２００４−１７１２０５号公報
【発明の概要】
【発明が解決しようとする課題】
【０００８】
しかしながら、上記特許文献１および２に開示された従来のカード処理装置では、磁気カードが挿入されたことを検出するカード挿入検出部の出力ラインに直接リード線が接続されるという不正行為が行われた場合には、リード線を介してカード挿入検出部により読み取られる磁気情報が不正に取得されてしまうという問題点がある。
【０００９】
また、上記特許文献３に開示された従来のカード処理装置では、磁気カードが挿入されたことを検出するカード挿入検出部の出力ラインに直接リード線が接続されるという不正行為が行われた場合には、リード線を介してカード挿入検出部により読み取られる磁気データから磁気情報が復元される可能性は皆無とは言えず、磁気情報が不正に取得されるおそれがあるという問題点がある。
【００１０】
本発明は、上述した課題を解決するものであって、その目的とするところは、直接リード線が接続されるという不正行為が行われた場合に、磁気情報が不正に取得されるのを防止することが可能なデータ読取装置およびそれを備えたカード処理装置を提供することである。
【課題を解決するための手段】
【００１１】
本発明のデータ読取装置は、磁気カードに記録された磁気データを読み取る読取部と、読取部により磁気データが読み取られた場合に信号を出力する出力部と、読取部により読み取られた磁気データを非可逆変換する変換部とを備える。変換部は、読取部により読み取られた磁気データから所定のデータを抽出することにより非可逆変換を行う。出力部は、読取部により磁気データが読み取られた場合に、変換部により非可逆変換されたデータを出力する。
【００１２】
このように構成することによって、直接リード線が接続されることにより、出力部からリード線を介してデータが不正に取得された場合にも、そのデータから磁気情報（磁気データの内容）を復元することができないので、磁気情報が不正に取得されるのを防止することができる。
【００１３】
また、読取部により読み取られた磁気データから所定のデータを抽出することにより非可逆変換を行う変換部を備え、出力部は、変換部により非可逆変換されたデータを出力するので、読取部により読み取った磁気データから復元が不可能なデータを容易に作成することができる。
【００１４】
また、本発明のカード処理装置は、上記のいずれかのデータ読取装置を備える。
【００１５】
また、本発明のデータ読取装置は、磁気カードに記録された磁気データを読み取る読取部と、読取部により磁気データが読み取られた場合に信号を出力する出力部と、磁気データが非可逆変換されたデータを記憶する記憶部と、読取部により読み取られた磁気データを、当該磁気データから所定のデータを抽出することにより非可逆変換する変換部と、変換部により非可逆変換されたデータと、記憶部に記憶されたデータとを比較する比較部とを備え、出力部は、比較部による比較結果を出力する。
【００１６】
また、本発明のカード処理装置は、上記変換部を含むデータ読取装置と、磁気データが非可逆変換されたデータを記憶する記憶部と、出力部から出力されたデータと、記憶部に記憶されたデータとを比較する比較部とを備える。
【発明の効果】
【００１７】
本発明によれば、直接リード線が接続されるという不正行為が行われた場合に、磁気情報が不正に取得されるのを防止することが可能なデータ読取装置およびそれを備えたカード処理装置を提供することができる。
【図面の簡単な説明】
【００１８】
【図１】本発明の第１実施形態によるカード処理装置およびＡＴＭの構成を示したブロック図である。
【図２】図１のカード処理装置の概略を示した側面図である。
【図３】図２のカード処理装置のカード挿入検出部を説明するための図である。
【図４】図３のカード挿入検出部の読取部と、挿入された磁気カードの磁気ストライプとの位置関係を説明するための図である。
【図５】図３のカード挿入検出部の磁気ヘッドの再生信号を説明するための波形図である。
【図６】図２のカード処理装置の構成を示したブロック図である。
【図７】第１実施形態によるカード処理装置の動作を説明するためのフローチャートである。
【図８】第１実施形態によるカード処理装置の動作を説明するための側面図である。
【図９】第１実施形態によるカード処理装置の動作を説明するための側面図である。
【図１０】第１実施形態によるカード処理装置の動作を説明するための側面図である。
【図１１】本発明の第２実施形態によるカード処理装置およびカードゲート装置の構成を示したブロック図である。
【図１２】図２のカード処理装置の磁気データ読取部を説明するための図である。
【図１３】第２実施形態の変形例による磁気データ読取部を説明するための図である。
【発明を実施するための形態】
【００１９】
以下、本発明の実施形態について、図面を参照しながら説明する。
【００２０】
（第１実施形態）
まず、図１〜図６を参照して、本発明の第１実施形態によるカード処理装置１００およびＡＴＭ（Automated Teller Machine：現金自動預け払い機）１５０の構成について説明する。
【００２１】
ＡＴＭ１５０は、図１に示すように、ＡＴＭ本体１５１と、電源１５２と、カード処理装置１００とを備えている。ＡＴＭ１５０は、現金の引き出しなどの取引を利用者が行うために、金融機関などに設置されている。
【００２２】
第１実施形態によるカード処理装置１００は、ＡＴＭ１５０に設けられており、電源１５２から電力が供給されている。このカード処理装置１００は、利用者により挿入された磁気カード１６０の磁気ストライプ１６１に対して、所定の処理を施すように構成されている。
【００２３】
具体的には、カード処理装置１００は、磁気カード１６０の磁気ストライプ１６１に記録された磁気データを読み取り、その読み取ったデータをＡＴＭ本体１５１に送信する。また、カード処理装置１００は、ＡＴＭ本体１５１から送信されたデータを受信し、その受信したデータを磁気カード１６０の磁気ストライプ１６１に書き込む。
【００２４】
なお、磁気ストライプ１６１には、３つのトラックが設けられており、各トラックには、たとえば、Ｆ２Ｆ（Two Frequency Coherent Phase Encoding）方式を用いて磁気データが記録されている。
【００２５】
カード処理装置１００は、図２に示すように、筐体１と、搬送ローラ２ａ〜２ｄと、カード位置検出部３ａ〜３ｃと、読取／書込ヘッド４と、シャッタ部材５と、シャッタ位置検出部６と、カード挿入検出部７とを含んでいる。なお、カード挿入検出部７は、本発明の「データ読取装置」の一例である。
【００２６】
筐体１には、矢印Ｘ２方向側の端部に磁気カード１６０が挿入される挿入口１ａが設けられている。搬送ローラ２ａ〜２ｄは、それぞれ、搬送路Ｐを挟んで上下一対に設けられており、磁気カード１６０を挿入方向（矢印Ｘ１方向）および排出方向（矢印Ｘ２方向）に搬送する。
【００２７】
カード位置検出部３ａ〜３ｃは、たとえば、フォトインタラプタであり、搬送路Ｐ上の磁気カード１６０の位置を検出する。読取／書込ヘッド４は、挿入された磁気カード１６０に対してデータの読み取りや書き込みを行う。
【００２８】
シャッタ部材５は、挿入口１ａを開閉するために、開方向（矢印Ｚ１方向）および閉方向（矢印Ｚ２方向）に移動可能に設けられている。シャッタ位置検出部６は、たとえば、マイクロスイッチであり、シャッタ部材５が閉状態の位置まで移動したことを検出する。
【００２９】
カード挿入検出部７は、図３に示すように、磁気ヘッド７０の内部に設けられている。そして、磁気ヘッド７０は、矢印Ｚ１方向および矢印Ｚ２方向（図２参照）に移動可能に設けられている。具体的には、磁気ヘッド７０は、挿入口１ａ内に突出しており、磁気カード１６０が挿入口１ａに挿入された場合に、磁気カード１６０の磁気ストライプ１６１（図１参照）と接触した状態で矢印Ｚ１方向に退避する。なお、磁気ヘッド７０には、磁気ストライプ１６１（図１参照）の各トラック毎にカード挿入検出部７が設けられている。
【００３０】
また、磁気ヘッド７０は、図４に示すように、磁気カード１６０が挿入口１ａに挿入された場合における磁気ストライプ１６１のトラック１６１ａの延びる方向、すなわち、磁気データの記録方向（矢印Ｘ１方向および矢印Ｘ２方向）に対して直交するように配置されている。
【００３１】
カード挿入検出部７は、図３に示すように、読取部７１と、復号部７２と、変換回路７３と、出力部７４とを含んでいる。なお、変換回路７３は、本発明の「変換部」の一例である。読取部７１は、ギャップ７１ａが形成されたコア７１ｂと、コイル７１ｃとを有しており、磁気カード１６０に記録された磁気データを読み取る。
【００３２】
読取部７１では、磁気カード１６０が挿入口１ａに挿入された場合に、磁気カード１６０の磁化パターンによりコア７１ｂが磁化されることによって、コイル７１ｃに電流が流れる。これにより、読取部７１は、たとえば、図５に示すような再生信号を復号部７２に出力する。なお、図５では、簡略化のために再生信号の一部を示している。また、実際の再生信号は、磁気カード１６０の磁気ストライプ１６１に記録された磁気データによって異なる。
【００３３】
復号部７２は、所定の周期毎に検出パルスの有無を判定することにより、再生信号を２値データ（図５の例では、「１０１０１１０１０」）に復号する。変換回路７３は、復号部７２により復号されたデータから所定のデータを抽出することにより、磁気カード１６０から読み取った磁気データを非可逆変換する。たとえば、復号部７２により復号されたデータが「１０１０１１０１０」である場合に、そのデータを３ビット毎に抽出（サンプリング）することにより「１００」に変換する。この変換データ「１００」から元のデータ「１０１０１１０１０」を復元することは不可能である。出力部７４は、変換回路７３により非可逆変換されたデータを後述する制御部１１に出力する。すなわち、出力部７４は、磁気カード１６０に記録された磁気情報に復元することが不可能なデータを制御部１１に出力する。
【００３４】
また、カード処理装置１００は、図６に示すように、搬送ローラ２ａ〜２ｄを駆動するモータ８と、シャッタ部材５を移動させるためのソレノイドなどからなるアクチュエータ９と、ＡＴＭ本体１５１とデータのやり取りを行うための通信部１０と、カード処理装置１００の動作を制御する制御部１１とを含んでいる。
【００３５】
制御部１１は、ＣＰＵ、ＲＯＭ、およびＲＡＭなどを有する。この制御部１１は、カード挿入検出部７から非可逆変換されたデータが入力された場合に、筐体１の挿入口１ａに磁気カード１６０が挿入されたと判断する。なお、制御部１１は、カード挿入検出部７から入力される非可逆変換されたデータに基づいて、磁気カード１６０に記録された磁気情報（磁気データの内容）を知ることができないが、磁気カード１６０が挿入されたか否かを判断することが可能であればよい。
【００３６】
次に、図２、図３および図６〜図１０を参照して、本発明の第１実施形態によるカード処理装置１００の動作について説明する。なお、図７のフローチャートの各ステップは、制御部１１（図６参照）により実行される。
【００３７】
まず、カード処理装置１００では、図７のステップＳ１において、カード挿入検出部７（図２参照）の検出結果に基づいて、磁気カード１６０（図２参照）が筐体１の挿入口１ａ（図２参照）に挿入されたか否かが判断される。具体的には、変換回路７３（図３参照）により非可逆変換されたデータが出力部７４（図３参照）から出力されたか否かが判断される。出力部７４から非可逆変換されたデータが出力されておらず、磁気カード１６０が挿入口１ａに挿入されていないと判断された場合には、ステップＳ１が繰り返し行われる。すなわち、カード処理装置１００は、磁気カード１６０が挿入されるまで待機する。そして、出力部７４から非可逆変換されたデータが出力されて、磁気カード１６０が挿入口１ａに挿入されたと判断されると、ステップＳ２に移る。
【００３８】
次に、ステップＳ２において、アクチュエータ９（図６参照）により、シャッタ部材５（図２参照）を開方向（矢印Ｚ１方向）に移動させる。これにより、図８に示すように、シャッタ部材５が搬送路Ｐから退避するので、挿入口１ａが開かれる。次に、ステップＳ３において、モータ８（図６参照）を駆動することにより、搬送ローラ２ａ〜２ｄ（図８参照）を正転させる。これにより、磁気カード１６０が矢印Ｘ１方向に搬送されるので、図９に示すように、磁気カード１６０が筐体１の内部に取り込まれる。なお、挿入口１ａは、開かれてから所定の時間経過後にシャッタ部材５により閉じられる。
【００３９】
次に、ステップＳ４において、読取／書込ヘッド４により、筐体１の内部に取り込まれた磁気カード１６０が破線で示す位置まで搬送される過程で、磁気カード１６０に対してデータの読み取りや書き込みが行われる。このとき、通信部１０（図６参照）を介してＡＴＭ本体１５１（図６参照）との通信も行われる。
【００４０】
その後、ＡＴＭ本体１５１から磁気カード１６０の排出指令が入力されると、ステップＳ５において、アクチュエータ９により、シャッタ部材５を矢印Ｚ１方向に移動させる。これにより、図１０に示すように、シャッタ部材５が搬送路Ｐから退避するので、挿入口１ａが開かれる。次に、ステップＳ６において、モータ８を駆動することにより、搬送ローラ２ａ〜２ｄを逆転させる。これにより、磁気カード１６０が矢印Ｘ２方向に搬送され、挿入口１ａから排出される。
【００４１】
次に、ステップＳ７において、カード挿入検出部７の検出結果に基づいて、磁気カード１６０が挿入口１ａから抜き取られたか否かが判断される。磁気カード１６０が抜き取られていないと判断された場合には、ステップＳ７が繰り返し行われる。すなわち、カード処理装置１００は、磁気カード１６０が抜き取られるまで待機する。そして、磁気カード１６０が抜き取られたと判断されると、挿入口１ａがシャッタ部材５により閉じられ、一連の動作が終了する。
【００４２】
第１実施形態では、上記のように、読取部７１により読み取られた磁気データを非可逆変換する変換回路７３と、変換回路７３により非可逆変換されたデータを出力する出力部７４とを設けることによって、磁気ヘッド７０の出力ラインに直接リード線が接続されることにより、出力部７４からリード線を介して変換されたデータが不正に取得された場合にも、その変換されたデータから磁気情報（磁気データの内容）を復元することができないので、磁気情報が不正に取得されるのを防止することができる。その結果、第１実施形態によるカード処理装置１００では、磁気情報が不正に取得されるのを防止しながら、磁気カード１６０の挿入を検出して挿入口１ａを開くことができる。
【００４３】
また、第１実施形態では、復号されたデータから所定のデータを抽出することにより、磁気カード１６０から読み取った磁気データを非可逆変換することによって、読取部７１により読み取った磁気データから復元が不可能なデータを容易に作成することができる。
【００４４】
また、第１実施形態では、磁気カード１６０から読み取った磁気データを非可逆変換することによって、磁気データを暗号化する場合と異なり、暗号化された磁気データと鍵データとが盗用されることにより、暗号化された磁気データが復号され、磁気情報が不正に取得されるおそれがない。
【００４５】
（第２実施形態）
次に、図１１および図１２を参照して、本発明の第２実施形態によるカード処理装置３００およびカードゲート装置３５０の構成について説明する。
【００４６】
カードゲート装置３５０は、図１１に示すように、ゲート３５１と、ゲート３５１の鍵の開閉状態を制御するゲート制御部３５２と、カード処理装置３００とを備えている。
【００４７】
第２実施形態によるカード処理装置３００は、磁気カード３６０の磁気データを読み取る磁気データ読取部３０１と、記憶部３０２と、比較部３０３と、通信部３０４とを含んでいる。なお、磁気データ読取部３０１は、本発明の「データ読取装置」の一例である。
【００４８】
磁気データ読取部３０１は、図１２に示すように、磁気ヘッド３１０の内部に設けられている。また、磁気データ読取部３０１は、読取部３１１と、復号部３１２と、変換回路３１３と、出力部３１４とを含んでいる。なお、読取部３１１、復号部３１２、および、出力部３１４の構成は、それぞれ、第１実施形態（図３）の読取部７１、復号部７２、および、出力部７４と同様である。また、変換回路３１３は、本発明の「変換部」の一例である。
【００４９】
変換回路３１３は、復号部３１２により復号されたデータから所定のデータを抽出することにより、磁気カード３６０から読み取った磁気データを非可逆変換する。このため、変換されたデータから元のデータを復元することは不可能である。出力部３１４は、変換回路３１３により非可逆変換されたデータを比較部３０３に出力する。
【００５０】
記憶部３０２は、たとえば、フラッシュメモリであり、磁気カード３６０の磁気データが非可逆変換されたデータを記憶する。比較部３０３は、ＣＰＵ、ＲＯＭ、およびＲＡＭなどを有し、出力部３１４から出力されたデータと、記憶部３０２に記憶されたデータとを比較する。そして、比較部３０３は、その比較結果を通信部３０４を介してゲート制御部３５２に出力する。
【００５１】
ゲート制御部３５２は、通信部３０４から入力される比較結果に基づいて、ゲート３５１の鍵の開閉状態を制御する。具体的には、ゲート制御部３５２は、出力部３１４から出力されたデータと、記憶部３０２に記憶されたデータとが一致するとの比較結果が入力された場合に、ゲート３５１の鍵の開閉状態を切り替える。その一方、ゲート制御部３５２は、出力部３１４から出力されたデータと、記憶部３０２に記憶されたデータとが一致しないとの比較結果が入力された場合に、ゲート３５１の鍵の開閉状態を維持する。
【００５２】
第２実施形態では、上記のように、読取部３１１により読み取られた磁気データを非可逆変換する変換回路３１３と、変換回路３１３により非可逆変換されたデータを出力する出力部３１４とを設けることによって、磁気ヘッド３１０の出力ラインに直接リード線が接続されることにより、出力部３１４からリード線を介して変換されたデータが不正に取得された場合にも、その変換されたデータから磁気情報（磁気データの内容）を復元することができないので、磁気情報が不正に取得されるのを防止することができる。その結果、第２実施形態によるカード処理装置３００では、磁気情報が不正に取得されるのを防止しながら、磁気カード３６０を認証することができる。
【００５３】
また、第２実施形態では、復号されたデータを非可逆変換することによって、読取部３１１により読み取った磁気データから復元が不可能なデータを容易に作成することができる。
【００５４】
本発明は、上述した以外にも種々の実施形態を採用することができる。
【００５５】
たとえば、上記第２実施形態では、読取部３１１と、復号部３１２と、変換回路３１３と、出力部３１４とを含む磁気データ読取部３０１を示したが、これに限らず、図１３に示す第２実施形態の変形例による磁気データ読取部５００のように、記憶部３１５および比較部３１６がさらに設けられていてもよい。記憶部３１５および比較部３１６の構成は、それぞれ、上記した図１１の記憶部３０２および比較部３０３と同様である。そして、出力部３１４は、比較部３１６による比較結果を出力する。このように構成すれば、磁気データ読取部５００の秘匿性をより向上させることができる。
【００５６】
また、上記第１実施形態では、磁気ストライプ１６１に３つのトラックが設けられる例を示したが、これに限らず、磁気ストライプ１６１に設けられるトラックが２つ以下であってもよいし、４つ以上であってもよい。
【００５７】
また、上記第１実施形態では、読取部７１がコア７１ｂとコイル７１ｃとを有する例を示したが、これに限らず、読取部が磁気抵抗素子などのその他の磁気センサを有していてもよい。なお、第２実施形態についても同様である。
【００５８】
また、上記第２実施形態において、記憶部３０２が記憶する非可逆変換されたデータを、ゲート制御部３５２から通信部３０４を介して提供されるようにしてもよい。
【符号の説明】
【００５９】
１ａ            挿入口
５              シャッタ部材
７              カード挿入検出部（データ読取装置）
７１、３１１    読取部
７３、３１３    変換回路（変換部）
７４、３１４    出力部
１１            制御部
１００、３００  カード処理装置
１６０、３６０  磁気カード
３０１、５００  磁気データ読取部（データ読取装置）
３０２、３１５  記憶部
３０３、３１６  比較部
【図１】
0004990954.tif 000002
【図２】
0004990954.tif 000003
【図３】
0004990954.tif 000004
【図４】
0004990954.tif 000005
【図５】
0004990954.tif 000006
【図６】
0004990954.tif 000007
【図７】
0004990954.tif 000008
【図８】
0004990954.tif 000009
【図９】
0004990954.tif 000010
【図１０】
0004990954.tif 000011
【図１１】
0004990954.tif 000012
【図１２】
0004990954.tif 000013
【図１３】
0004990954.tif 000014